【事件の表示】
　特許第３２１１０１４号「体液吸収用当て材」の請求項１〜５に係る特許に対する特許異議の申立てについて、次のとおり決定する。
【結　論】
　訂正を認める。
　特許第３２１１０１４号の請求項１及び２に係る特許を維持する。
【理　由】
１．手続の経緯
　本件特許３２１１０１４号の請求項１〜５に係る発明は、平成５年９月２８日に特許出願され、平成１３年７月１９日に特許権の設定の登録がされた後、土山健二により特許異議申立がされ、当審による取消理由に対する意見書提出の指定期間内である平成１５年２月１８日に訂正請求がされた。
　
２．訂正請求について
（１）訂正の内容
訂正事項ａ：特許請求の範囲を、　
「【請求項１】　体液を吸収すべき領域を有する当て材本体（１）と
凹凸形成処理が施された
ポリエチレンフィルム
ポリエチレンフィルム
としてシリコン樹脂
ポリエチレンフィルム
両端のそれぞれからその全長の略３分の１程度の領域を交互に
前記折り畳まれた状態から広げることができるように
「【請求項２】　前記紙（20）と
ポリエチレンフィルム
ポリエチレンフィルム
１に
と訂正する。
　
訂正事項ｂ：明細書の段落番号０００６を、
「【課題を解決するための手段】
　前記課題を解決するためこの発明では次のような技術的手段を講じている。この発明の体液吸収用当て材は、体液を吸収すべき領域を有する当て材本体（１）と
凹凸形成処理が施された
ポリエチレンフィルム
ポリエチレンフィルム
としてシリコン樹脂
ポリエチレンフィルム
両端のそれぞれからその全長の略３分の１程度の領域を交互に
前記折り畳まれた状態から広げることができるように
と訂正する。
　
訂正事項ｃ：明細書の段落番号７を、
 「
また
ポリエチレンフィルム
ポリエチレンフィルム
い。
と訂正する。
　
（２）訂正の適否
　訂正事項ａは、請求項１に特許明細書の請求項２、３及び５並びに詳細な説明の欄の００１５段落及び図３に、それぞれ記載された事項を構成に加えることによって請求項１を限定し、請求項２、３及び５を削除するものであるので、特許請求の範囲の減縮を目的するものである。
　訂正事項ｂ及びｃは、訂正事項ａによる特許請求の範囲の訂正に整合するよう、発明の詳細な説明の欄を訂正するものであるので、明りょうでない記載の釈明を目的とするものである。
　そして、訂正事項ａ〜ｃはいずれも特許明細書に記載された事項の範囲内でされたものであり、実質上特許請求の範囲を拡張、又は変更するものではない。
　したがって、本件訂正を認める。　
 　
３．異議申立について
３−１．本件発明
　上記のとおり訂正請求が認められるので、本件特許の請求項１及び２に係る発明は、特許請求の範囲に記載された次のとおりのものである。
　
　【請求項１】　体液を吸収すべき領域を有する当て材本体（１）と凹凸形成処理が施された剥離部材（２）とを具備し、下着に貼付するための粘着部が当て材本体（１）に形成され、前記剥離部材（２）は紙（20）とポリエチレンフィルム（21）とを重層固着して形成されるとともに前記ポリエチレンフィルム（21）には剥離剤（22）としてシリコン樹脂が塗布され、その幅は当て材本体（１）の左右方向の幅より広く形成され、　前記剥離部材（２）のポリエチレンフィルム（21）側の面が当て材本体（１）に形成された前記粘着部に貼着された状態で、当て材本体（１）を内方側として両端のそれぞれからその全長の略３分の１程度の領域を交互に折り畳まれるとともに、当て材本体（１）の左右方向にはみ出した前記剥離部材（２）の周辺領域（23）の相互間が前記折り畳まれた状態から広げることができるように熱圧着されたことを特徴とする体液吸収用当て材。
　
　【請求項２】　前記紙（20）とポリエチレンフィルム（21）が重層固着された剥離部材（２）の紙（20）側の面にもポリエチレンフィルム（21）が重層固着された請求項１に記載の体液吸収用当て材。
　
３−２．刊行物の記載
　当審による取消理由に引用した刊行物（異議申立人が提出した甲第１〜５号証を含む。）には、次のとおりであって、それぞれ以下に示す事項が記載されている。
　刊行物１：実願平２−９８３３７号（実開平４−５５３２６号）のマイク　　　　　　ロフィルム（甲第１号証）
　刊行物２：特開平　３−　２１６８７号公報（甲第２号証）
　刊行物３：特開昭６１−２７３３６８号公報（甲第３号証）
　刊行物４：特開昭５３−　１６７３７号公報（甲第４号証）
  刊行物５：特開平　５−１０４６８２号公報（甲第５号証）
　刊行物６：特開平　５−　６８９３６号公報
　刊行物７：特開平　４−３３１２７８号公報
　
（１）刊行物１には、以下の事項が図面と共に記載されている。
（１−１）「非使用面側に止着用の粘着剤を付設した生理用ナプキンを、内面が上記粘着剤に対して剥離性を示す剥離面となった包装用フィルムの内部に、非使用面全面を当接させた状態で包み込んでなる個別包装体」（特許請求の範囲及び４頁８行〜１３行）
（１−２）「上記包装用フィルム２は、紙、不織布、熱可塑性樹脂フィルム（ポリエチレン、ポリプロピレン等）などの任意の素材からなる単層又は複層構造のシートの内面にシリコンコーティング等の表面処理を施すことにより、内面の全部又は生理用ナプキン１の粘着剤６と当接する一部を、該粘着剤６に対して剥離性を示す剥離面７としたもので、該包装用フィルム２の長さ及び横幅はいずれも生理用ナプキン１の長さ及び横幅より大きく形成され、包装時に、該包装用フィルム２の幅方向の両端部が生理用ナプキン１の両側端部から突出すると共に、少なくとも長さ方向の一端部が生理用ナプキン１の長さ方向の一端部から突出するようになっている、」（５頁１６行〜６頁１１行）
（１−２）上記包装用フィルム２により生理用ナプキン１を包装するときには、第３図に示すように、生理用ナプキン１をその非使用面側に付設した粘着剤６を剥離面７に当接させた状態で包装用フィルム２上に重合し、これらの生理用ナプキン１と包装用フィルム２との重合体を、その長さ方向の両端部をナプキンの使用面を内側にして互いに重なり合うように折曲することにより三重に折り畳み、第１図に示すように、生理用ナプキン１からはずれた位置に置いて重畳する包装用フィルム２の幅方向の両側端部を封止部８において互いに封止する。この場合、包装用フィルム２の先端部２ａも必要に応じて封止することができる。
　上記包装用フィルム２の封止方法としては、熱溶着、接着、擬接着、粘着、カシメ接合、縫着等が挙げられる」（６頁１５行〜７頁１２行）
　
（２）刊行物２〜刊行物５には、紙とポリエチレン等のプラスチックフィルムとを積層した剥離シートが記載されており、エンボス加工を施すことができることも記載されている。
　
（３）刊行物６及び刊行物７には、紙をポリエチレン等でラミネートした剥離紙が記載されている。
　
３−３．対比・判断
　本件請求項１に係る発明と刊行物１に記載された個別包装体の発明を対比すると、前者では「剥離部材は、紙とポリエチレンフィルムとを重層固着して形成され、前記剥離部材のポリエチレンフィルム側の面が当て材本体に形成された前記粘着部に貼着された状態で、交互に折り畳まれ、当て材本体の左右方向にはみ出した前記剥離部材の周辺領域の相互間が前記折り畳まれた状態から広げることができるように熱圧着された」ものであるのに対して、後者では、前者の剥離部材に対応する包装用フィルムは、「紙、不織布、熱可塑性樹脂フィルム（ポリエチレン、ポリプロピレン等）などの任意の素材からなる単層又は複層構造のシートの内面にシリコンコーティング等の表面処理を施」したものとされ、封止方法として「熱圧着」も例示されているものの、剥離部材の支持体部として「紙とポリエチレンフィルムとを重層したもの」については記載がなく、そのような支持体について熱圧着により風知ることも記載されていない点で相違している。
　刊行物２〜刊行物７に記載されているように、紙と熱可塑性樹脂（特にポリエチレン）を重層したシート自体は、離型シートの支持部として周知慣用の部材ではあるが、いずれも本件発明とは全く異なる技術分野で使用するためのものであって、本件発明や刊行物１のような体液吸収用当て材の包装を兼用した離型シートとしての使用形態を示唆するものではない。
　そして、本件発明においては、体液吸収用当て材の包装を兼ねて剥離部材を交互に折り畳んだ場合において、当て材本体の左右方向にはみ出した前記剥離部材の周辺領域の相互間が前記折り畳まれた状態から広げることができるように熱圧着するものであって、剥離剤（22）としてシリコン樹脂が塗布されているにも拘わらず、体液吸収用当て材の包装に望まれる適度な熱圧着を可能にしたものである。
　したがって、本件請求項１に係る発明は刊行物１〜７に記載された発明ではなく、また当該刊行物に記載された発明から当業者が容易に発明をすることができたものでもない。
　
   請求項２に係る発明についても、同様な理由により、刊行物１〜７に記載された発明ではなく、また当該刊行物に記載された発明から当業者が容易に発明をすることができたものでもない。
　
４．むすび
　以上のとおりであるので、特許異議申立の理由及び証拠によっては、本件の請求項１及び２に係る特許を取り消すことができない。
　
　よって、結論のとおり決定する。
【異議決定日】
平成１５年４月４日（２００３．４．４）
【訂正の要旨】
▲１▼訂正事項ａ
　特許請求の範囲をについて、特許請求の範囲の減縮を目的とし、以下の通り訂正する。
「請求項１
　体液を吸収すべき領域を有する当て材本体（１）と
凹凸形成処理が施された
としてシリコン樹脂
両端のそれぞれからその全長の略３分の１程度の領域を交互に
　請求項
２
　前記紙（２０）と熱融着性樹脂（２１）が重層固着された剥離部材（２）の紙（２０）側の面にも熱融着性樹脂（２１）が重層固着された請求項
１に
▲２▼訂正事項ｂ
　特許明細書の段落番号０００６を、明瞭でない記載の釈明を目的とし、
「【課題を解決するための手段】前記課題を解決するためこの発明では次のような技術的手段を講じている。この発明の体液吸収用当て材は、体液を吸収すべき領域を有する当て材本体（１）と
凹凸形成処理が施された
としてシリコン樹脂
両端のそれぞれからその全長の略３分の１程度の領域を交互に
（５４）【発明の名称】
体液吸収用当て材
（５７）【特許請求の範囲】
　【請求項１】体液を吸収すべき領域を有する当て材本体（１）と
凹凸形成処理が施された
としてシリコン樹脂
両端のそれぞれからその全長の略３分の１程度の領域を交互に
【発明の詳細な説明】
　【０００１】
　【産業上の利用分野】この発明は、体液吸収用当て材に関するものである。
　【０００２】
　【従来の技術】汗や経血やおりもの等或いは失禁尿などの体液を吸収させるために下着に貼付して使用する体液吸収用当て材が知られている（この明細書では、体液吸収用当て材に吸収させるべきものを体液と総称する）。図５に示すように、この体液吸収用当て材は体液を吸収すべき領域を有する当て材本体１と剥離紙５とを具備する。そして、下着に貼付するための粘着部６が当て材本体１に設けられ、その上に剥離紙５が貼着されている。従来、図６に示すように、この体液吸収用当て材は袋体７に１個づつ個別に収容されていた。しかし、使用時には袋体７を開封し、この中から体液吸収用当て材を取出し、次いで当て材本体１から剥離紙５を剥がし取るという重複した手間が必要であるが、これは大変面倒である。また、下着への貼付時に廃棄すべきゴミとして袋体７と剥離紙５とがでてしまい、双方共に捨てなければならないという煩わしさがある。
　【０００３】前記重複した手間などを軽減すべく発明者は次の手段を検討した。剥離紙５の幅を当て材本体１の左右方向の幅より広く形成する。そして剥離紙５を当て材本体１に形成された前記粘着部６に貼着した状態で、当て材本体１を内方側として折り畳み、当て材本体１の左右方向にはみ出した前記剥離紙５の周辺領域の相互間を熱圧着しようとした。
　【０００４】当て材本体１の粘着部６に対して剥離紙５を貼着する側の面（表面３）には剥離剤が塗布されており、熱圧着する態様として、当て材本体１の粘着部６との剥離性を有する剥離剤が塗布された剥離紙５の表面３同士及び剥離紙５の表面３と裏面４とがあるが、これら相互間は熱圧着性を欠如していた。
　【０００５】
　【発明が解決しようとする課題】そこで、この発明は剥離紙を改善した剥離部材の表面同士及び剥離部材の表面と裏面との相互間の熱圧着性を付与することにより、剥離部材に袋体としての機能を併有させ使用時の重複した手間を軽減できる体液吸収用当て材を提供することを課題とする。
　【０００６】
　【課題を解決するための手段】前記課題を解決するためこの発明では次のような技術的手段を講じている。この発明の体液吸収用当て材は、体液を吸収すべき領域を有する当て材本体（１）と
凹凸形成処理が施された
としてシリコン樹脂
両端のそれぞれからその全長の略３分の１程度の領域を交互に
　【０００７】また、前記熱融着性樹脂２１としてポリエチレンフィルムを用いてもよい。また、前記剥離剤２２としてシリコン樹脂を用いてもよい。また、前記紙２０と熱融着性樹脂２１が重層固着された剥離部材２の紙２０側の面にも熱融着性樹脂２１が重層固着されたこととしてもよい。また、前記剥離部材２に凹凸が形成されたこととしてもよい。
　【０００８】
　【作用】上記の手段を採用した結果、この発明は以下のような作用を有する。この発明の体液吸収用当て材によると、剥離部材２の表面３は紙２０と重層固着された熱融着性樹脂２１に剥離剤２２が塗布されているが、熱融着性樹脂２１の介在によりこの面同士の熱圧着が可能となる。前記表面３と剥離部材２の裏面４の紙２０とも、表面３の熱融着性樹脂２１の介在により熱圧着が可能となる。なお、剥離部材２を形成する熱融着性樹脂２１には剥離剤２２が塗布されているので、この剥離部材２は従来の剥離紙５と同様に当て材本体１に形成された粘着部との剥離性を有している。
　【０００９】前記熱融着性樹脂２１としてポリエチレンフィルムを用いるとコスト面に優れるとともに比較的に軟化温度が低いので加工性に優れる。また、前記剥離剤２２としてシリコン樹脂を用いるとコスト面及び剥離性に優れる。また、前記紙２０と熱紙２０と熱融着性樹脂２１が重層固着された剥離部材２の紙２０側の面にも熱融着性樹脂２１を重層固着しても、上記と同様に熱融着性樹脂２１の介在により、剥離部材２の表面３同士及び剥離部材２の表面３と裏面４との相互間の熱圧着が可能となる。また、剥離部材２に凹凸を形成すると、風合いが良いものとなる。
　【００１０】
　【実施例】以下、この発明の構成を実施例として示した図面を参照して説明する。図１乃至図４に示すように、この実施例の体液吸収用当て材は、汗や経血やおりもの等或いは失禁尿などの体液を吸収すべき領域を有する当て材本体１と剥離部材２とを具備する。そして、下着に貼付するための粘着部を形成すべく粘着剤が当て材本体１の裏面に塗布されている。前記粘着剤としてこの実施例では公知のホット・メルト型のものを使用した。粘着部としては粘着剤の他に両面テープなども利用できる。
　【００１１】当て材本体１は体液を吸収させるため合成樹脂製の不織布で形成している。その他、化学繊維や天然繊維製のもの若しくはこれらを混合して形成してもよい。また当て材本体１は略陸上競技のトラック形状に形成している。他にバイオリン形状や長円形状などの適宜の形状を採用できる。図２に示すように、前記剥離部材２は紙２０と熱融着性樹脂２１たるポリエチレンフィルムとを重層固着（所謂ラミネート処理）して形成するとともに前記ポリエチレンフィルム２１には剥離剤２２たるシリコン樹脂を塗布している。シリコン樹脂２２は加熱してポリエチレンフィルム２１に塗布し、その後乾燥している。ポリエチレンフィルム２１には紙２０がラミネートされているので、乾燥時の熱の作用によりフィルムがクシャクシャになることはない。また、剥離部材２の幅は当て材本体１の左右方向の幅より広く形成している。
　【００１２】熱融着性樹脂としては前記ポリエチレンフィルムの他にエチレン酢酸ビニル共重合体（ＥＶＡ）、ナイロン、ポリプロピレン、塩化ビニール、ポリブチレン・テレフタレート（ＰＢＴ）などを用いることができる。ポリエチレンフィルムにはコスト面に優れるとともに比較的に軟化温度が低いので加工性に優れるという利点がある。また、剥離剤としては前記シリコン樹脂の他にアクリル系樹脂、メラミン系樹脂、フッ素樹脂などを用いることができる。シリコン樹脂はコスト面及び剥離性に優れるという利点がある。
　【００１３】前記剥離部材２には公知のエンボス処理により、凹凸を形成した。エンボス処理の他にコロナ放電処理、薬品処理などによっても凹凸を形成できる。凹凸が形成された剥離部材２は風合いがよいという利点がある。凹凸は形成してもしなくてもよい。この体液吸収用当て材は次のようにして形成することができる。剥離部材２のポリエチレンフィルム２１側の面（表面３）と当て材本体１との間にホット・メルト型の粘着剤層を形成し、双方を貼着した状態とする。こうして、当て材本体１に粘着部を形成する。この貼着された状態で、当て材本体１を内方側として折り畳む。図３乃至図５に示すように、この実施例では両端のそれぞれからその全長の略３分の１程度の領域を交互に折り畳んでいる。そして、図４に示すように、当て材本体１の左右方向にはみ出した前記剥離部材２の周辺領域２３の相互間を熱圧着する（説明のため片側のみを熱圧着した状態を図示する）。この実施例では市販の熱シール機を用い、約１８０　で熱圧着した。
　【００１４】熱圧着する態様として剥離部材２の表面３同士及び剥離部材２の表面３と裏面４との相互間とがある。剥離部材２の表面３には紙２０と重層固着されたポリエチレンフィルム２１にシリコン樹脂２２が塗布されているが、ポリエチレンフィルム２１が介在するのでこの面同士の熱圧着が可能である。前記表面３と剥離部材２の裏面４の紙２０とも、表面３のポリエチレンフィルム２１が介在するので熱圧着が可能である。なお、剥離部材２を形成するポリエチレンフィルム２１にはシリコン樹脂２２が塗布されているので、この剥離部材２は従来の剥離紙５と同様に当て材本体１に形成された粘着部との剥離性を有している。
　【００１５】この実施例では体液吸収用当て材を上記のように構成したので、剥離部材２に従来の袋体の機能を併有させ、使用時には折り畳まれた当て材を拡げて剥離部材２を剥がすだけの手間で済み重複した手間を軽減できるという利点がある。また、剥離部材２のポリエチレンフィルム２１側の面（表面３）が当て材本体１に形成された前記粘着部に貼着された状態で、当て材本体１を内方側として折り畳んでいるので、従来袋体７に１個づつ個別に収容していた場合と同様に当て材本体１へのゴミの侵入を防止でき衛生的である。さらに、従来のものは下着への貼付時に廃棄すべきゴミとして袋体７と剥離紙５（図５及び図６参照）との双方がでてしまっていたが、この実施例のものによると剥離部材２しかでず、ゴミの数及び捨てる際の煩わしさを軽減できるという利点がある。
　【００１６】上記実施例では紙２０とポリエチレンフィルム２１とを１層づつ合計２層を重層固着しているが、前記紙２０とポリエチレンフィルム２１が重層固着された剥離部材２の紙２０側の面にもポリエチレンフィルム２１を重層固着して３層構造としてもよい（図示せず）。この場合も、上記実施例の場合と同様にポリエチレンフィルム２１の介在により、剥離部材２の表面３同士及び剥離部材２の表面３と裏面４との相互間の熱圧着が可能である。また、このように形成すると、剥離部材２の表裏両面をポリエチレンフィルム２１で被覆した状態となり、光沢があるので外観がより優れるという利点がある。
　【００１７】
　【発明の効果】この発明は上述のような構成を有するものであり、次の効果を奏する。熱融着性樹脂２１の介在により剥離部材２の表面同士及び剥離部材２の表面と裏面との相互間の熱圧着が可能となるので、剥離部材２に袋体としての機能を併有させ、使用時の重複した手間を軽減できる体液吸収用当て材を提供することが出来る。また、剥離部材２は紙２０と熱融着性樹脂２１とを重層固着して形成されているので、剥離剤２２の乾燥時の熱の作用により熱融着性樹脂２１がクシャクシャになることはない。
【図面の簡単な説明】
　【図１】この発明の体液吸収用当て材の実施例を説明する斜視図。
　【図２】図１の体液吸収用当て材の断面図。
　【図３】図１の体液吸収用当て材を一端側から折り畳んだ状態を説明する斜視図。
　【図４】図３の体液吸収用当て材の剥離部材の周辺領域が熱圧着された状態を説明する斜視図。
　【図５】従来の体液吸収用当て材を説明する斜視図。
　【図６】図５の体液吸収用当て材の袋体からの取出し方を説明する斜視図。
　【符号の説明】
　　１　当て材本体
　　２　剥離部材
　２０　紙
　２１　熱融着性樹脂
　２２　剥離剤
　２３　周辺領域